(57)【要約】      （修正有）【課題】モード切り替え時の処理を効率化して消費電力を低減した電子機器を提供する。【解決手段】携帯端末と無線通信を行う通信部（狭範囲通信部３８及び広範囲通信部３９）と、差し込まれた鍵（モードキー）を回転可能に構成され、差し込まれた鍵の回転位置に対応したモードに切り替えるモード切替部（モードスイッチ４２）と、を備える。また、モード切替部は、通信部が携帯端末と通信可能な状態とする第１モードに切り替えるための第１回転位置を複数備えるとともに、通信部が携帯端末と通信不可能な状態とする第２モードに切り替えるための第２回転位置を少なくとも一つ備え、第２回転位置は、第１回転位置間に非介在的に位置するように設定されている。【選択図】図３
2018160084.tif 000002
【特許請求の範囲】
【請求項１】
携帯端末と無線通信を行う通信部と、
差し込まれた鍵を回転可能に構成され、前記差し込まれた鍵の回転位置に対応したモードに切り替えるモード切替部と、
を備え、
前記モード切替部は、前記通信部が前記携帯端末と通信可能な状態とする第１モードに切り替えるための第１回転位置を複数備えるとともに、前記通信部が前記携帯端末と通信不可能な状態とする第２モードに切り替えるための第２回転位置を少なくとも一つ備え、前記第２回転位置は、前記第１回転位置間に非介在的に位置するように設定されている電子機器。
【請求項２】
前記モード切替部は、前記差し込まれた鍵の種類に応じて前記鍵の回転可能範囲が異なるように構成されている請求項１に記載の電子機器。
【請求項３】
前記鍵は、
オペレータが使用するオペレータキーと、
オーナーが使用するオーナーキーと、
を含み、
前記モード切替部は、前記差し込まれた鍵が前記オペレータキーである場合に前記オーナーキーである場合よりも前記鍵の回転可能範囲を狭く制限するように構成されている請求項２に記載の電子機器。
【請求項４】
前記通信部は、
前記携帯端末と狭範囲の無線通信を行う狭範囲通信部と、
前記携帯端末と広範囲の無線通信を行う広範囲通信部と、
を備え、
前記モード切替部は、前記狭範囲通信部が前記携帯端末と狭範囲通信可能な状態とする第３モードに切り替えるための第３回転位置を複数備えるとともに、前記広範囲通信部が前記携帯端末と広範囲通信可能な状態とする第４モードに切り替えるための第４回転位置を少なくとも一つ備え、前記第３回転位置と前記第４回転位置とが互いに非介在的に配列されている請求項１〜３のいずれか一項に記載の電子機器。
【請求項５】
前記第３モードは、精算モード及び設定モードを含み、
前記第４モードは、登録モードを含む請求項４に記載の電子機器。
【請求項６】
前記第１モードは、登録モード、精算モード及び設定モードを含み、
前記第２モードは、点検モード、戻モード、電卓モード及びＯＦＦモードを含む請求項１〜５のいずれか一項に記載の電子機器。
【発明の詳細な説明】
【技術分野】
【０００１】
本発明は、電子機器に関する。
【背景技術】
【０００２】
従来、商品を販売する店舗に設置されて、顧客に販売した商品の金額、個数等の売上データを登録するＥＣＲ（Electronic Cash Resister）等の電子機器が知られている。
上記の電子機器において、スマートフォンなどの携帯端末と無線通信を確立し、情報交換を可能とする通信部を備える構成が開示されている（例えば、特許文献１、２参照）。
【０００３】
ところで、従来の電子機器は、商品の単価やメニュー等を設定するための設定モード、売り上げの登録を行うための登録モード、売り上げの精算を行うための精算モード等の各種モードを備えており、オペレーター（店員）やオーナーが用途に応じて所望するモードに切り替えて操作を行う。
また、従来の電子機器は、現金等を格納するドロアを備えており、セキュリティ上の観点から、モードキーを所定の鍵穴に差した状態でモードキーを回転させて位置を切り替えることで、モードを切り替える操作を行うことが可能な構成となっている。
【先行技術文献】
【特許文献】
【０００４】
【特許文献１】特開２００２−６３６５２号公報
【特許文献２】特開２００４−１８５４９２号公報
【発明の概要】
【発明が解決しようとする課題】
【０００５】
ところで、従来の電子機器が備えるモードは、通信部の電源をオンして携帯端末との無線通信を行うモードと、通信部の電源をオフして携帯端末との無線通信を行わないモードと、が混在している。
しかしながら、従来の電子機器は、各モードの配列が通信部の電源のオンオフと対応していなかった。したがって、例えば、「通信部の電源をオンするモード」から別の「通信部の電源をオンするモード」に切り替える際、両者の間に「通信部の電源をオフするモード」が配列されている場合、通信部の電源をオフする必要がないにもかかわらず、通信部の電源を一旦オフしてから再度オンする必要があるため、処理が煩雑化し、消費電力が増加するという課題がある。
【０００６】
本発明の課題は、モード切り替え時の処理を効率化して消費電力を低減することである。
【課題を解決するための手段】
【０００７】
上記課題を解決するため、本発明の電子機器は、携帯端末と無線通信を行う通信部と、差し込まれた鍵を回転可能に構成され、前記差し込まれた鍵の回転位置に対応したモードに切り替えるモード切替部と、を備え、前記モード切替部は、前記通信部が前記携帯端末と通信可能な状態とする第１モードに切り替えるための第１回転位置を複数備えるとともに、前記通信部が前記携帯端末と通信不可能な状態とする第２モードに切り替えるための第２回転位置を少なくとも一つ備え、前記第２回転位置は、前記第１回転位置間に非介在的に位置するように設定されている。
【発明の効果】
【０００８】
本発明によれば、モード切り替え時の処理を効率化して消費電力を低減することができる。
【図面の簡単な説明】
【０００９】
【図１】本実施形態に係る売上データ処理システムの概略構成を示す接続図である。
【図２】携帯端末の主制御構成を示すブロック図である。
【図３】売上データ処理装置の主制御構成を示すブロック図である。
【図４】売上データ処理装置の概略構成を示す外観図である。
【図５】モードスイッチの構成を示す平面図である。
【図６】モードキーの構成を示す図である。
【図７】売上データ処理装置が備える各モードの動作を示す図である。
【発明を実施するための形態】
【００１０】
以下、本発明の実施の形態について、図面を参照して詳細に説明する。
【００１１】
［１．構成の説明］
［１−１．システム構成の説明］
まず、本実施形態に係る売上データ処理システム１の構成について説明する。
売上データ処理システム１は、図１に示すように、サーバ装置１０と、少なくとも１台の携帯端末２０と、少なくとも１台の売上データ処理装置３０と、を備えて構成されている。サーバ装置１０及び携帯端末２０は、通信ネットワークＮに接続されている。通信ネットワークＮは、インターネットであるものとするが、ＬＡＮ（Local Area Network）等、他のネットワークとしてもよい。また、携帯端末２０及び売上データ処理装置３０は、Ｂｌｕｅｔｏｏｔｈ（登録商標）等の狭範囲無線通信又はＷｉ−Ｆｉ（登録商標）等の広範囲無線通信を行う。
【００１２】
サーバ装置１０は、クラウド上のサーバ装置であり、携帯端末２０を介して売上データ処理装置３０から送信される商品の売上データ等を管理する。
【００１３】
携帯端末２０は、スマートフォン等の携帯型端末機器であり、売上データ処理装置３０から送信される商品の売上データ等をサーバ装置１０に送信する。携帯端末２０には、売上データ処理装置３０との無線通信により、売上データ処理装置３０が備える所定のモード（例えば、設定モード、登録モード、精算モード）の機能を実現する各種アプリケーション（例えば、設定アプリ、オーダーエントリーアプリ（登録アプリ）、精算アプリ）がインストールされている。
【００１４】
売上データ処理装置３０は、個人商店、スーパーマーケット、飲食店等の店舗に設置されるＥＣＲ等であり、オペレータの操作により顧客に販売・提供した商品の金額、個数等の売上データを登録する装置である。売上データ処理装置３０は、１つの店舗に少なくとも１台設置される。サーバ装置１０は、複数の店舗の売上データを一元的に管理することが可能である。
【００１５】
［１−２．携帯端末の構成の説明］
次に、携帯端末２０の構成について説明する。
携帯端末２０は、図２に示すように、ＣＰＵ２１と、ＲＡＭ２２と、ＲＯＭ２３と、撮像部２４と、音声出力部２５と、操作部２６と、表示部２７と、狭範囲通信部２８と、広範囲通信部２９と、を備えて構成されている。
【００１６】
ＣＰＵ２１は、携帯端末２０の各部を制御する。ＣＰＵ２１は、各種プログラムのうち指定されたプログラムをＲＯＭ２３から読み出してＲＡＭ２２に展開し、展開されたプログラムとの協働で各種処理を実行する。
【００１７】
ＲＡＭ２２は、例えば、揮発性の半導体メモリであり、各種データ及びプログラムを格納するワークエリアが形成される。
ＲＯＭ２３は、各種データ及び各種プログラムを記憶する読み出し専用のメモリである。ＲＯＭ２３は、ＣＰＵ２１で実行されるシステムプログラム、設定アプリ、登録アプリ、精算アプリ等の各種アプリケーションプログラム、Ｗｅｂブラウザ、これらのプログラムの実行に必要なデータ等を記憶する。
【００１８】
撮像部２４は、ユーザ操作に従って被写体を撮像し、画像データを生成する。
音声出力部２５は、Ｄ／Ａ変換器、アンプ、スピーカ等を備えて構成され、ＲＡＭ２２又はＲＯＭ２３から出力された音声データをアナログの音声信号に変換して音声出力する。
【００１９】
操作部２６は、例えば、ホームボタン等からなるキー入力部と、表示部２７と一体的に形成されたタッチパネルと、を備え、ユーザからの操作入力を受け付けて、操作入力に応じた操作信号をＣＰＵ２１へと出力する。
表示部２７は、例えば、ＬＣＤ（Liquid Crystal Display）、有機ＥＬ（Electro Luminescence）素子を用いたＦＰＤ（Flat Panel Display）などのディスプレイを備え、ＣＰＵ２１から出力された表示制御信号に基づいた画像を表示画面に表示する。
【００２０】
狭範囲通信部２８は、アンテナ、復調回路、信号処理回路等により構成され、Ｂｌｕｅｔｏｏｔｈ（登録商標）等の無線通信方式により、売上データ処理装置３０と狭範囲の無線通信を行う。
広範囲通信部２９は、アンテナ、復調回路、信号処理回路等により構成され、Ｗｉ−Ｆｉ（登録商標）等の無線通信方式により、売上データ処理装置３０と広範囲の無線通信を行う。
【００２１】
［１−３．売上データ処理装置の構成の説明］
次に、売上データ処理装置３０の構成について説明する。
売上データ処理装置３０は、図３及び図４に示すように、ＣＰＵ３１と、ＲＡＭ３２と、ＲＯＭ３３と、表示部３４と、客用表示部３５と、印刷部３６と、ドロア３７と、狭範囲通信部３８と、広範囲通信部３９と、記憶部４０と、入力部４１と、モードスイッチ４２と、を備えて構成されている。
【００２２】
ＣＰＵ３１は、売上データ処理装置３０の各部を制御する。ＣＰＵ３１は、各種プログラムのうち指定されたプログラムをＲＯＭ３３から読み出してＲＡＭ３２に展開し、展開されたプログラムとの協働で各種処理を実行する。
【００２３】
ＲＡＭ３２は、例えば、揮発性の半導体メモリであり、各種データ及びプログラムを格納するワークエリアが形成される。
ＲＯＭ３３は、各種データ及び各種プログラムを記憶する読み出し専用のメモリである。
【００２４】
表示部３４は、図４（Ａ）に示すように、売上データ処理装置３０を操作するオペレータやオーナーが表示内容（商品の金額、合計金額等の情報）を視認するための表示装置である。表示部３４は、ＬＣＤ、ＥＬディスプレイなどのディスプレイを備え、ＣＰＵ３１から出力された表示制御信号に基づいた画像を表示画面に表示する。
客用表示部３５は、図４（Ｂ）に示すように、商品を購入した顧客が表示内容（商品の金額、合計金額等の情報）を視認するための表示装置である。客用表示部３５は、ＬＣＤ、ＥＬディスプレイなどのディスプレイを備え、ＣＰＵ３１から出力された表示制御信号に基づいた画像を表示画面に表示する。
【００２５】
印刷部３６は、ＣＰＵ３１の制御により、ロール紙等の用紙に、レシート、電子ジャーナル等のデータを印刷するサーマルプリンタ等の印刷部である。また、印刷部３６は、印刷後にロール紙をカットして出力する機構を有する。
ドロア３７は、現金、商品券等を格納する引き出しである。ドロア３７は、ＣＰＵ３１の制御により、例えば、商品登録の締め（精算）時に、引き出しが開放される。
【００２６】
狭範囲通信部３８は、アンテナ、復調回路、信号処理回路等により構成され、Ｂｌｕｅｔｏｏｔｈ（登録商標）等の無線通信方式により、携帯端末２０と狭範囲の無線通信を行う。
広範囲通信部３９は、アンテナ、復調回路、信号処理回路等により構成され、Ｗｉ−Ｆｉ（登録商標）等の無線通信方式により、携帯端末２０と広範囲の無線通信を行う。
狭範囲通信部３８及び広範囲通信部３９は、本発明の通信部として機能する。
【００２７】
記憶部４０は、情報の書き込み及び読み出しが可能な記憶部であり、バッテリーバックアップされたＲＡＭ、フラッシュメモリ等で構成される。記憶部４０には、売上データ、各種設定情報等が記憶される。
【００２８】
入力部４１は、各種機能キーを備えたキーボードを有し、オペレータによる各キーの押下入力を受け付けてその操作情報をＣＰＵ３１に出力する。機能キーとしては、例えば、テンキー、乗算キー、小計キー、戻しキー、ＰＬＵ（Price Look Up）キー等のほか、券売りキー、信用売りキー等の各締めキーが備えられている。
【００２９】
モードスイッチ４２は、売上データ処理装置３０のモードを設定モード、戻モード、ＯＦＦモード、登録モード、電卓モード、点検モード、精算モードのいずれかに切り替えるためのスイッチである。
設定モードは、売上データ処理装置３０の各種設定（例えば、商品単価の設定等）を行うモードである。戻モードは、返品処理を行うモードである。ＯＦＦモードは、売上データ処理装置３０の電源をオフするモードである。登録モードは、購入された商品の売上データの登録処理を行うモードである。電卓モードは、通常の電卓と同様に計算を行うモードである。点検モードは、登録された売上データの点検処理を行うモードである。精算モードは、閉店後に１日の売上の精算処理を行うモードである。
【００３０】
売上データ処理装置３０が備えるモードのうち、設定モード、登録モード及び精算モードは、通信部（狭範囲通信部３８又は広範囲通信部３９）の電源をオンして携帯端末２０との無線通信を行うモードである。より具体的には、登録モードは、広範囲通信部３９の電源をオンして携帯端末２０との広範囲の無線通信を行うモードであり、設定モード及び精算モードは、狭範囲通信部３８の電源をオンして携帯端末２０との狭範囲の無線通信を行うモードである。ここで、登録モードが携帯端末２０との広範囲の無線通信を行うのは、携帯端末２０でオーダー（注文）を取る際に、売上データ処理装置３０から遠い客のオーダーを取り易くすることができるからである。また、設定モードが携帯端末２０との狭範囲の無線通信を行うのは、登録モードで登録処理を行っている最中に、同じ無線（広範囲の無線）を使って通信（例えば、設定データの送信）を行いたくないからである。また、精算モードが携帯端末２０との狭範囲の無線通信を行うのは、ドロア３７を開けないと精算処理を行うことができないからである。
一方、残りの戻モード、ＯＦＦモード、電卓モード及び点検モードは、通信部の電源をオフして携帯端末２０との無線通信を行わないモードである。
【００３１】
モードスイッチ４２は、図５に示すように、モードキーＫ１（図６参照）を差し込み可能な鍵穴４２ａを備えており、モードキーＫ１を鍵穴４２ａに差した状態でモードキーＫ１を回転させて位置を切り替えることで、その位置に対応したモードに切り替える操作を行うことができる。すなわち、モードスイッチ４２は、差し込まれたモードキーＫ１を回転可能に構成され、差し込まれたモードキーＫ１の回転位置に対応したモードに切り替える本発明のモード切替部として機能する。
モードキーＫ１としては、オペレータが使用するオペレータキーＫ１１（図６（Ａ）参照）及びオーナーが使用するオーナーキーＫ１２（図６（Ｂ）参照）の２種類のキーが用いられる。
【００３２】
モードスイッチ４２は、差し込まれたモードキーＫ１の種類に応じて、モードキーＫ１の回転可能範囲が異なるように構成されている。例えば、モードスイッチ４２は、差し込まれた鍵がオペレータキーＫ１１である場合にオーナーキーＫ１２である場合よりも鍵の回転可能範囲を狭く制限するように構成されている。
具体的には、オペレータキーＫ１１は、売上データ処理装置３０が備えるモードのうち、ＯＦＦモード、登録モード及び電卓モードに切り替えることができる。すなわち、オペレータは、売上データ処理装置３０が備えるモードのうち、ＯＦＦモード、登録モード及び電卓モードを実施することができる。
一方、オーナーキーＫ１２は、売上データ処理装置３０が備える全てのモードに切り替えることができる。すなわち、オーナーは、売上データ処理装置３０が備える全てのモードを実施することができる。
なお、図５に示す符号Ｒ１はオペレータキーＫ１１の回転可能範囲を、符号Ｒ２はオーナーキーＫ１２の回転可能範囲を、それぞれ示している。図５に示す例では、オーナーキーＫ１２の回転可能範囲Ｒ２の範囲内に、オペレータキーＫ１１の回転可能範囲Ｒ１が位置するように設定されている。
【００３３】
モードスイッチ４２は、図５に示すように、時計回りに、点検モードＭ１、戻モードＭ２、電卓モードＭ３、ＯＦＦモードＭ４、登録モードＭ５、精算モードＭ６、設定モードＭ７の順に、各モードに切り替えるための回転位置が配列されている。
また、モードスイッチ４２は、ＯＦＦモードＭ４の位置でのみモードキーＫ１を差し込むことができるように構成されているとともに、ＯＦＦモードＭ４以外の位置、すなわち、点検モードＭ１の位置、戻モードＭ２の位置、電卓モードＭ３の位置、登録モードＭ５の位置、精算モードＭ６の位置、設定モードＭ７の位置では、いずれもモードキーＫ１を抜くことができないように構成されている。これは、オペレータキーＫ１１であっても、オーナーキーＫ１２であっても同様である。
以下、説明の便宜上、「モードに切り替えるための回転位置」を、単に「モード」と略記することがある。
【００３４】
本実施形態では、オペレータキーＫ１１で切り替え可能な３つのモード（電卓モードＭ３、ＯＦＦモードＭ４及び登録モードＭ５）が隣接するように配列されている。したがって、オペレータキーＫ１１によるモードの切り替え操作を問題なく実施することができる。
【００３５】
また、本実施形態では、通信部の電源をオンして携帯端末２０との無線通信を行うモード（第１モード；登録モードＭ５、精算モードＭ６及び設定モードＭ７）に切り替えるための回転位置（第１回転位置）と、通信部の電源をオフして携帯端末２０との無線通信を行わないモード（第２モード；点検モードＭ１、戻モードＭ２、電卓モードＭ３及びＯＦＦモードＭ４）に切り替えるための回転位置（第２回転位置）とを備えており、第２回転位置は、第１回転位置間に非介在的に位置するように設定されている。したがって、例えば、「通信部の電源をオンするモード」から別の「通信部の電源をオンするモード」に切り替える際、両者の間に「通信部の電源をオフするモード」が配列されることがないため、通信部の電源を不必要にオンオフすることなくモードの切り替え操作を実施することができる。
【００３６】
また、本実施形態では、狭範囲通信部３８の電源をオンして携帯端末２０との狭範囲の無線通信を行うモード（第３モード；精算モードＭ６及び設定モードＭ７）に切り替えるための回転位置（第３回転位置）と、広範囲通信部３９の電源をオンして携帯端末２０との広範囲の無線通信を行うモード（第４モード；登録モードＭ５）に切り替えるための回転位置（第４回転位置）と、が互いに非介在的に配列されている。したがって、例えば、「狭範囲通信部３８の電源をオンするモード」から別の「狭範囲通信部３８の電源をオンするモード」に切り替える際、両者の間に「広範囲通信部３９の電源をオンするモード」が配列されることがないため、広範囲通信部３９の電源を不必要にオンオフすることなくモードの切り替え操作を実施することができる。
【００３７】
［２．動作の説明］
次に、本実施形態に係る売上データ処理装置３０が備える各モードの動作について、図７を参照して簡潔に説明する。なお、図７においては、オペレータキーＫ１１により、電卓モードＭ３、ＯＦＦモードＭ４及び登録モードＭ５に切り替えることが可能であり、オーナーキーＫ１２により、全てのモード（点検モードＭ１、戻モードＭ２、電卓モードＭ３、ＯＦＦモードＭ４、登録モードＭ５、精算モードＭ６、設定モードＭ７）に切り替えることが可能である。オペレータキーＫ１１又はオーナーキーＫ１２により、所望するモードに切り替えられることにより、各モードは実施される。
【００３８】
［２−１．通信部の電源をオフするモードの説明］
点検モードＭ１、戻モードＭ２、電卓モードＭ３及びＯＦＦモードＭ４は、いずれも通信部の電源をオフして携帯端末２０との無線通信を行わないモードである。
したがって、まず、ＣＰＵ３１は、通信部（狭範囲通信部３８及び広範囲通信部３９）の電源をオフする処理を行う（ステップＳ１１、Ｓ２１、Ｓ３１、Ｓ４１）。既に通信部の電源がオフされていた場合は、特に何も行わず、次のステップに移行する。
【００３９】
次いで、ＣＰＵ３１は、オペレータ又はオーナーの操作に基づいて、各モードに対応する処理を行う。例えば、点検モードＭ１では、オーナーの操作に基づいて、登録された売上データの点検処理を行う（ステップＳ１２）。また、戻モードＭ２では、オーナーの操作に基づいて、返品処理を行う（ステップＳ２２）。また、電卓モードＭ３では、オペレータ又はオーナーの操作に基づいて、電卓処理を行う（ステップＳ３２）。また、ＯＦＦモードＭ４では、売上データ処理装置３０の電源をオフする処理を行う（ステップＳ４２）。
なお、ステップＳ１２、Ｓ２２、Ｓ３２、Ｓ４２では、通信部の電源が入っていないため、電源がオンされた通信部との通信を確立するためのビーコンの出力は行わない。
【００４０】
［２−２．通信部の電源をオンするモードの説明］
登録モードＭ５、精算モードＭ６及び設定モードＭ７は、いずれも通信部の電源をオンして携帯端末２０との無線通信を行うモードである。
したがって、まず、ＣＰＵ３１は、狭範囲通信部３８及び広範囲通信部３９のうちいずれか一方の電源をオンする処理を行う。例えば、登録モードＭ５では、広範囲通信部３９の電源をオンする処理を行うとともに、狭範囲通信部３８の電源をオフする処理を行う（ステップＳ５１）。また、精算モードＭ６及び設定モードＭ７では、狭範囲通信部３８の電源をオンする処理を行うとともに、広範囲通信部３９の電源をオフする処理を行う（ステップＳ６１、Ｓ７１）。
登録モードＭ５において、既に広範囲通信部３９の電源がオン（狭範囲通信部３８の電源がオフ）されていた場合は、特に何も行わず、次のステップに移行する。また、精算モードＭ６及び設定モードＭ７において、既に狭範囲通信部３８の電源がオン（広範囲通信部３９の電源がオフ）されていた場合は、特に何も行わず、次のステップに移行する。
【００４１】
次いで、ＣＰＵ３１は、携帯端末２０にインストールされたアプリと通信可能な状態とするとともに、電源がオンされた通信部との通信を確立するためのビーコンを出力する。
例えば、登録モードＭ５では、携帯端末２０にインストールされたオーダーエントリーアプリと通信可能な状態とするとともに、ステップＳ５１で電源がオンされた広範囲通信部３９との通信を確立するためのビーコンを出力する（ステップＳ５２）。携帯端末２０は、ステップＳ５２で出力されたビーコンを受信すると、広範囲通信部２９と発信元の売上データ処理装置３０の広範囲通信部３９との通信を確立する。
また、精算モードＭ６では、携帯端末２０にインストールされた精算アプリと通信可能な状態とするとともに、ステップＳ６１で電源がオンされた狭範囲通信部３８との通信を確立するためのビーコンを出力する（ステップＳ６２）。また、設定モードＭ７では、携帯端末２０にインストールされた設定アプリと通信可能な状態とするとともに、ステップＳ７１で電源がオンされた狭範囲通信部３８との通信を確立するためのビーコンを出力する（ステップＳ７２）。携帯端末２０は、ステップＳ６２又はステップＳ７２で出力されたビーコンを受信すると、狭範囲通信部２８と発信元の売上データ処理装置３０の狭範囲通信部３８との通信を確立する。
【００４２】
次いで、ＣＰＵ３１は、各モードに対応する処理を行う。
例えば、登録モードＭ５では、携帯端末２０から送信された登録処理に係る要求と、売上データ処理装置３０におけるオペレータ又はオーナーの手動による登録処理と、を同時に行う（ステップＳ５３）。すなわち、携帯端末２０から送信された要求と手動による登録とが同時に行われた場合、マルチタスクで処理を行う。なお、携帯端末２０から送信された登録処理に係る要求とは、携帯端末２０においてオーダーエントリーアプリが起動され、オペレータ又はオーナーにより登録処理が行われた際に、売上データ処理装置３０に送信されるオーダーデータのことである。
また、精算モードＭ６では、売上データ処理装置３０におけるオーナーの手動による精算処理後、携帯端末２０の精算アプリに精算データを送信する（ステップＳ６３）。携帯端末２０は、精算データを受信するまで精算データの受信待ちを行う。
また、設定モードＭ７では、携帯端末２０から送信された設定処理に係る要求と、売上データ処理装置３０におけるオーナーの手動による設定処理と、のいずれか一方の処理を行う（ステップＳ７３）。すなわち、携帯端末２０から送信された要求と手動による登録とが同時に行われた場合、シングルタスクで先に受け付けた処理を行う。なお、携帯端末２０から送信された設定処理に係る要求とは、携帯端末２０において設定アプリが起動され、オーナーにより設定処理が行われた際に、売上データ処理装置３０に送信される設定データのことである。
【００４３】
［３．効果］
以上のように、本実施形態に係る売上データ処理システム１の電子機器（売上データ処理装置３０）によれば、差し込まれた鍵（モードキーＫ１）の回転位置に対応したモードに切り替えるモード切替部（モードスイッチ４２）が、通信部（狭範囲通信部３８及び広範囲通信部３９）が携帯端末２０と通信可能な状態とする第１モード（登録モードＭ５、精算モードＭ６及び設定モードＭ７）に切り替えるための第１回転位置を複数備えるとともに、通信部が携帯端末２０と通信不可能な状態とする第２モード（点検モードＭ１、戻モードＭ２、電卓モードＭ３及びＯＦＦモードＭ４）に切り替えるための第２回転位置を少なくとも一つ備え、第２回転位置は、第１回転位置間に非介在的に位置するように設定されている。
したがって、本実施形態に係る電子機器によれば、通信部の電源を不必要にオンオフすることなくモードの切り替え操作を実施することができるので、モード切り替え時の処理を効率化することが可能となり、消費電力を低減することができる。
【００４４】
また、本実施形態に係る電子機器によれば、モード切替部が、差し込まれた鍵の種類に応じて鍵の回転可能範囲が異なるように構成されている。
したがって、本実施形態に係る電子機器によれば、売上データ処理装置３０を操作する人間の立場に合わせてモードキーＫ１を持たせることで売上データ処理装置３０の操作権限を容易にコントロールすることができるので、立場の低いオペレータによる機密性の高いモード（例えば、精算モードＭ６、設定モードＭ７等）の実行を防止することが可能となり、売上データ処理装置３０を安全に運用することができる。
【００４５】
また、本実施形態に係る電子機器によれば、モード切替部が、狭範囲通信部３８が携帯端末２０と狭範囲通信可能な状態とする第３モード（精算モードＭ６及び設定モードＭ７）に切り替えるための第３回転位置を複数備えるとともに、広範囲通信部３９が携帯端末２０と広範囲通信可能な状態とする第４モード（登録モードＭ５）に切り替えるための第４回転位置を少なくとも一つ備え、第３回転位置と第４回転位置とが互いに非介在的に配列されている。
したがって、本実施形態に係る電子機器によれば、狭範囲通信部３８や広範囲通信部３９の電源を不必要にオンオフすることなくモードの切り替え操作を実施することができるので、モード切り替え時の処理を更に効率化することが可能となり、消費電力を更に低減することができる。
【００４６】
以上、本発明に係る実施形態に基づいて具体的に説明したが、本発明は上記実施形態に限定されるものではなく、その要旨を逸脱しない範囲で変更可能である。
【００４７】
例えば、上記実施形態では、モードスイッチ４２において、点検モードＭ１、戻モードＭ２、電卓モードＭ３、ＯＦＦモードＭ４、登録モードＭ５、精算モードＭ６、設定モードＭ７の順に各モードを配列するようにしているが、これに限定されるものではない。例えば、携帯端末２０との無線通信を行わない点検モードＭ１、戻モードＭ２、電卓モードＭ３及びＯＦＦモードＭ４の配列は順不同であり、いかなる配列であってもよい。また、携帯端末２０と同一の無線通信（狭範囲の無線通信）を行う精算モードＭ６及び設定モードＭ７の配列も同様に順不同であり、設定モードＭ７、精算モードＭ６の順に配列するようにしてもよい。
また、例えば、広範囲通信部３９の電源をオンして携帯端末２０との広範囲の無線通信を行う登録モードＭ５を、狭範囲通信部３８の電源をオンして携帯端末２０との狭範囲の無線通信を行う精算モードＭ６及び設定モードＭ７の後に配列するようにしてもよい。
【００４８】
また、上記実施形態では、通信部が携帯端末２０と通信可能な状態とする第１モードとして３つのモード（登録モードＭ５、精算モードＭ６及び設定モードＭ７）を、通信部が携帯端末２０と通信不可能な状態とする第２モードとして４つのモード（点検モードＭ１、戻モードＭ２、電卓モードＭ３及びＯＦＦモードＭ４）を、それぞれ例示して説明しているが、これに限定されるものではない。第１モードとして複数のモードを、第２モードとして少なくとも一つのモードを、それぞれ備える構成であれば、いかなる構成であってもよい。
【００４９】
また、上記実施形態では、携帯端末２０及び売上データ処理装置３０との間で、狭範囲無線通信及び広範囲無線通信の２種の無線通信を行うようにしているが、これに限定されるものではない。すなわち、いずれか１種の無線通信しか備えない構成であっても、本発明を適用することは可能である。
【００５０】
また、上記実施形態では、オペレータキーＫ１１により、電卓モードＭ３、ＯＦＦモードＭ４及び登録モードＭ５に切り替えることができるようにしているが、これに限定されるものではない。例えば、オペレータキーＫ１１により、更に点検モードＭ１に切り替えられるようにしてもよい。この場合、点検モードＭ１を、電卓モードＭ３、ＯＦＦモードＭ４及び登録モードＭ５と隣接するいずれかの位置に配列するとよい。
また、オペレータキーＫ１１を備えない構成（すなわち、オーナーキーＫ１２のみを備える構成）であってもよい。この場合、モードスイッチ４２の回転可能範囲をモードキーＫ１の種類に応じて異なるように構成しなくてもよいため、製造が容易である。
【００５１】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
携帯端末と無線通信を行う通信部と、
差し込まれた鍵を回転可能に構成され、前記差し込まれた鍵の回転位置に対応したモードに切り替えるモード切替部と、
を備え、
前記モード切替部は、前記通信部が前記携帯端末と通信可能な状態とする第１モードに切り替えるための第１回転位置を複数備えるとともに、前記通信部が前記携帯端末と通信不可能な状態とする第２モードに切り替えるための第２回転位置を少なくとも一つ備え、前記第２回転位置は、前記第１回転位置間に非介在的に位置するように設定されている電子機器。
＜請求項２＞
前記モード切替部は、前記差し込まれた鍵の種類に応じて前記鍵の回転可能範囲が異なるように構成されている請求項１に記載の電子機器。
＜請求項３＞
前記鍵は、
オペレータが使用するオペレータキーと、
オーナーが使用するオーナーキーと、
を含み、
前記モード切替部は、前記差し込まれた鍵が前記オペレータキーである場合に前記オーナーキーである場合よりも前記鍵の回転可能範囲を狭く制限するように構成されている請求項２に記載の電子機器。
＜請求項４＞
前記通信部は、
前記携帯端末と狭範囲の無線通信を行う狭範囲通信部と、
前記携帯端末と広範囲の無線通信を行う広範囲通信部と、
を備え、
前記モード切替部は、前記狭範囲通信部が前記携帯端末と狭範囲通信可能な状態とする第３モードに切り替えるための第３回転位置を複数備えるとともに、前記広範囲通信部が前記携帯端末と広範囲通信可能な状態とする第４モードに切り替えるための第４回転位置を少なくとも一つ備え、前記第３回転位置と前記第４回転位置とが互いに非介在的に配列されている請求項１〜３のいずれか一項に記載の電子機器。
＜請求項５＞
前記第３モードは、精算モード及び設定モードを含み、
前記第４モードは、登録モードを含む請求項４に記載の電子機器。
＜請求項６＞
前記第１モードは、登録モード、精算モード及び設定モードを含み、
前記第２モードは、点検モード、戻モード、電卓モード及びＯＦＦモードを含む請求項１〜５のいずれか一項に記載の電子機器。
【符号の説明】
【００５２】
１  売上データ処理システム
１０  サーバ装置
２０  携帯端末
２１  ＣＰＵ
２２  ＲＡＭ
２３  ＲＯＭ
２４  撮像部
２５  音声出力部
２６  操作部
２７  表示部
２８  狭範囲通信部
２９  広範囲通信部
３０  売上データ処理装置（電子機器）
３１  ＣＰＵ
３２  ＲＡＭ
３３  ＲＯＭ
３４  表示部
３５  客用表示部
３６  印刷部
３７  ドロア
３８  狭範囲通信部（通信部）
３９  広範囲通信部（通信部）
４０  記憶部
４１  入力部
４２  モードスイッチ（モード切替部）
Ｎ  通信ネットワーク
Ｋ１  モードキー（鍵）
Ｋ１１  オペレータキー
Ｋ１２  オーナーキー
【図１】
2018160084.tif 000003
【図２】
2018160084.tif 000004
【図３】
2018160084.tif 000005
【図４】
2018160084.tif 000006
【図５】
2018160084.tif 000007
【図６】
2018160084.tif 000008
【図７】
2018160084.tif 000009